【手続補正書】
【提出日】平成20年9月24日(2008.9.24)
【手続補正１】
【補正対象書類名】明細書
【補正対象項目名】発明の名称
【補正方法】変更
【補正の内容】
【発明の名称】ネットワーク環境下に於けるポートフォリオ管理・分析システム及びポートフォリオ管理・分析方法、そのプログラム、分散ネットワークコンピュータシステム並びに情報処理装置
【手続補正２】
【補正対象書類名】明細書
【補正対象項目名】特許請求の範囲
【補正方法】変更
【補正の内容】
【特許請求の範囲】
【請求項１】  上位及び中位並びに下位の情報処理装置がネットワークを介して接続される環境下にあって、
上記中位の情報処理装置は、
上記下位の情報処理装置を識別し認証処理を行う識別認証処理手段と、
公社債の運用・管理・分析等に関するポートフォリオ管理・分析に係わる処理を行い当該処理結果の情報を提供出力するポートフォリオ管理・分析手段と、
このポートフォリオ管理・分析手段が提供する情報と対応付けられ、上記ポートフォリオ管理・分析に係わる指示を行う為のメニュー情報を提供するメニュー提供手段とを具備し、
上記下位の情報処理装置は、
上記中位の情報処理装置にアクセスし接続するアクセス手段と、
上記中位の情報処理装置のメニュー提供手段から送出されるメニュー情報を出力するメニュー出力手段と、
このメニュー出力手段のメニューから所望の情報を選択し上記中位の情報処理装置に対し当該情報を要求指示する手段と、
この手段からの指示情報に基づいて上記中位の情報処理装置が送出してくる該当するポートフォリオ管理・分析結果の情報を受信して出力する出力手段とを具備し、
上記中位の情報処理装置は、上記下位の情報処理装置がアクセス接続して上記識別認証処理手段が当該下位の情報処理装置との接続継続を許可した場合、上記ポートフォリオ管理・分析手段が優先的に起動され所定の処理制御を行うよう構成したことを特徴とするネットワーク環境下に於けるポートフォリオ管理・分析システム。
【請求項２】  上記中位の情報処理装置は、
上記ポートフォリオ管理・分析手段が優先的に起動されると、ポートフォリオ管理・分析に係わる処理を、上記上位の情報処理装置に処理委託する手段と、
上記上位の情報処理装置が上記委託処理を完了した場合、当該完了した情報を受信する手段と
を設けたことを特徴とする請求項１記載のネットワーク環境下に於けるポートフォリオ管理・分析システム。
【請求項３】  上記ポートフォリオ管理・分析手段は、
購入、売却等の銘柄の移動を登録可能であり、登録情報の確認、銘柄検索機能を有するポートフォリオ管理手段と、
設定条件に基づいたポートフォリオの現状の分析及び金利シナリオに基づいた将来像の分析を行うポートフォリオ分析手段と
を設けたことを特徴とする請求項１又は請求項２記載のネットワーク環境下に於けるポートフォリオ管理・分析システム。
【請求項４】  上位及び中位並びに下位の情報処理装置がネットワークを介して接続され、当該ネットワーク環境下でポートフォリオ管理・分析を実行するシステムに於いて、
上記中位の情報処理装置は、
上記下位の情報処理装置を識別して認証処理を行い、
この認証処理の結果に基づき上記下位の情報処理装置のログイン接続を許可した場合、
公社債の運用・管理・分析等に関するポートフォリオ管理・分析に係わる処理を優先的に起動して所定の処理制御を行い、
この処理結果の情報を保持し、
この保持されるポートフォリオ管理・分析に係わる情報と対応付けられた上記ポートフォリオ管理・分析に係わる指示を行う為のメニュー情報を上記下位の情報処理装置に出力するようにし、
上記下位の情報処理装置は、
上記中位の情報処理装置にアクセスしてログイン接続すると、上記中位の情報処理装置から送出される上記メニュー情報を表示出力し、
このメニュー情報から所望の情報を選択して上記中位の情報処理装置に対して当該情報を要求指示すると、当該要求指示情報に基づいて上記中位の情報処理装置が送出してくる該当するポートフォリオ管理・分析結果の情報を受信して表示出力するようにしたこと
を特徴とするネットワーク環境下に於けるポートフォリオ管理・分析方法。
【請求項５】  上記中位の情報処理装置は、
上記ポートフォリオ管理・分析処理を優先的に起動すると、当該ポートフォリオ管理・分析に係わる演算処理を、上記上位の情報処理装置に処理委託し、
上記上位の情報処理装置が上記委託処理を完了した場合、当該完了した情報を受信し上記下位の情報処理装置に提供するようにしたこと
を特徴とする請求項４記載のネットワーク環境下に於けるポートフォリオ管理・分析方法。
【請求項６】  上記ポートフォリオ管理・分析に係わる処理は、
購入、売却等の銘柄の移動を登録するようにし、
登録情報の確認並びに銘柄検索を実行すると共に、
設定条件に基づいたポートフォリオの現状の分析及び金利シナリオに基づいた将来像の分析を行うようにしたこと
を特徴とする請求項４又は請求項５記載のネットワーク環境下に於けるポートフォリオ管理・分析方法。
【請求項７】  上位及び中位並びに下位の情報処理装置がネットワークを介して接続され、当該ネットワーク環境下でポートフォリオ管理・分析を実行させるシステムのためのプログラムであって、
上記中位の情報処理装置では、
上記下位の情報処理装置を識別して認証処理を実行する機能と、
この認証処理結果に基づき当該下位の情報処理装置のログイン接続を許可した場合、公社債の運用・管理・分析等に関するポートフォリオ管理・分析に係わる処理を優先的に起動してポートフォリオ管理・分析に係わる演算処理を、上記上位の情報処理装置に処理委託する機能と、
上記上位の情報処理装置が上記委託処理を完了し、当該完了した情報を受信し上記下位の情報処理装置に提供出力する機能と、
この提供出力されるポートフォリオ管理・分析に係わる情報と対応付けられた上記ポートフォリオ管理・分析に係わる指示を行う為のメニュー情報を上記下位の情報処理装置に出力する機能とを実行させ、
上記下位の情報処理装置では、
上記中位の情報処理装置にアクセスしてログイン接続する機能と、
上記中位の情報処理装置から送出される上記メニュー情報を表示出力する機能と、
上記メニュー情報から所望の情報を選択して上記中位の情報処理装置に対して当該情報を要求指示すると、この要求指示情報に基づいて上記中位の情報処理装置が送出してくる該当するポートフォリオ管理・分析結果の情報を受信して表示出力する機能とを実行させることを特徴とするネットワーク環境下に於けるポートフォリオ管理・分析用のプログラム。
【請求項８】  上記ポートフォリオ管理・分析に係わる処理は、
購入、売却等の銘柄の移動を登録可能とする機能と、
登録情報の確認並びに銘柄検索を実行する機能と、
設定条件に基づいたポートフォリオの現状の分析及び金利シナリオに基づいた将来像の分析を行う機能と
を有することを特徴とする請求項７記載のネットワーク環境下に於けるポートフォリオ管理・分析用のプログラム。
【請求項９】  ホストコンピュータと、認証機能及びサーバ機能を有するサーバコンピュータと、端末機器としてのパーソナルコンピュータとがネットワークを介して接続される分散ネットワークコンピュータシステムに於いて、
上記サーバコンピュータは、
上記パーソナルコンピュータを識別し認証処理を行う認証処理手段と、
ポートフォリオ管理・分析の指示を行う為の分析メニュー提供手段と、
この分析メニュー提供手段に係わる所定のポートフォリオ管理・分析を実行するポートフォリオ管理・分析手段と、
上記分析メニュー提供手段に係わる所定のリスク管理・分析を実行するリスク管理・分析手段と、
上記ポートフォリオ管理・分析手段と上記リスク管理・分析手段の処理結果を提供する処理結果提供手段とを具備し、
上記パーソナルコンピュータは、
上記サーバコンピュータにアクセスし接続するアクセス手段と、
上記サーバコンピュータの上記分析メニュー提供手段から送出されるポートフォリオ管理・分析及び／又はリスク管理・分析に関する分析メニュー情報を出力するメニュー出力手段と、
上記分析メニューから所望のポートフォリオ管理・分析及び／又はリスク管理・分析に係わる情報を選択し上記サーバコンピュータに対し当該選択した情報を送出する送出手段と、
この送出手段からの上記選択情報に基づいて上記サーバコンピュータが該当するポートフォリオ管理・分析処理及び／又はリスク管理・分析に係わる処理情報を受信し出力するポートフォリオ管理・分析実行結果出力手段とを具備し、
上記サーバコンピュータは、
上記パーソナルコンピュータがアクセス接続して上記認証処理手段が当該パーソナルコンピュータとの接続維持を許可した場合、上記ポートフォリオ管理・分析手段及び／又は上記リスク管理・分析手段を優先的に起動し、
上記ポートフォリオ管理・分析手段及び／又は上記リスク管理・分析手段は、ポートフォリオ管理・分析及び／又はリスク管理・分析に係わる演算処理を上記ホストコンピュータに実行させ、
この実行結果を受信し上記パーソナルコンピュータに送出できるよう構成したことを特徴とする分散ネットワークコンピュータシステム。
【請求項１０】  ネットワークを介して端末機器と接続可能な情報処理装置であって、
この情報処理装置は、
上記端末機器を識別し接続処理を行う接続処理手段と、
ポートフォリオ管理・分析に係わる指示を行う為の分析メニューを上記端末機器に提供する分析メニュー提供手段と、
この分析メニュー提供手段に係わる所定のポートフォリオ管理・分析の処理を実行するポートフォリオ管理・分析処理手段と、
上記分析メニュー提供手段に係わる所定のリスク管理・分析の処理を実行するリスク管理・分析処理手段と、
上記ポートフォリオ管理・分析処理手段と上記リスク管理・分析処理手段の処理結果を上記端末機器に提供する処理結果提供手段とを具備し、
上記端末機器をログイン接続すると、上記ポートフォリオ管理・分析処理手段及び／又は上記リスク管理・分析処理手段を優先的に起動し、
当該ポートフォリオ管理・分析及び／又はリスク管理・分析に係わる演算処理を前記ネットワークを介して接続された処理装置に実行させ、
この実行結果を受信して上記端末機器に送出できるよう構成したことを特徴とする情報処理装置。
【請求項１１】  ネットワークを介して端末機器と接続可能な情報処理装置にあって、
この情報処理装置は、
上記端末機器を識別し接続処理を実行し、
接続した端末機器に対し、ポートフォリオ管理・分析に係わる指示を行う為の分析メニューを上記端末機器に提供し、
この分析メニューに係わる所定のポートフォリオ管理・分析の処理を実行し、
上記分析メニューに係わる所定のリスク管理・分析の処理を実行し、
上記ポートフォリオ管理・分析処理と上記リスク管理・分析処理の処理結果を上記端末機器に提供するようにし、
更に、上記端末機器が当該情報処理装置にログイン接続すると、上記ポートフォリオ管理・分析処理及び／又は上記リスク管理・分析処理を優先的に起動し、
当該ポートフォリオ管理・分析及び／又はリスク管理・分析に係わる演算処理を前記ネットワークを介して接続された情報処理装置に実行させ、
この実行結果を受信して上記端末機器に送出するようにしたことを特徴とするネットワーク環境下に於けるポートフォリオ管理・分析方法。
【手続補正３】
【補正対象書類名】明細書
【補正対象項目名】０００１
【補正方法】変更
【補正の内容】
【０００１】
【発明の属する技術分野】
本発明は、種々の情報処理・通信機器が接続されるネットワークを介して公社債等のポートフォリオの分析・管理機能を改善可能なネットワーク環境下に於けるポートフォリオ管理・分析システム及びポートフォリオ管理・分析方法、そのプログラム、分散ネットワークコンピュータシステム、並びに情報処理装置に関する。
【手続補正４】
【補正対象書類名】明細書
【補正対象項目名】０００４
【補正方法】変更
【補正の内容】
【０００４】
そこで、本発明は上記事情を考慮して成されたもので、公社債の時価管理、ポートフォリオ管理・分析を効率的に行え、当該管理・分析情報をユーザに提供可能としたネットワーク環境下に於けるポートフォリオ管理・分析システム及びポートフォリオ管理・分析方法、そのプログラム、分散ネットワークコンピュータシステム、並びに情報処理装置を提供することを目的とする。